(57)【要約】【課題】  電子機器からネットワーク接続された複数の電子機器のどの機器を操作するかを判りやすくすることが課題になっていた。【解決手段】  実施形態の電子機器は、操作を行なう他の電子機器に向けて第１のコマンドを出力する第１のコマンド出力部を備える。  また、前記第１のコマンドを受信し、操作信号を受信した場合に、前記他の電子機器から出力される通知信号を受信する通知信号受信部を備える。  また、前記通知信号を出力した前記他の電子機器を、操作を行なう電子機器に登録する電子機器登録部を備える。  また、前記登録された他の電子機器に向けて第２のコマンドを出力する第２のコマンド出力部を備える。【選択図】  図１
2014068267.tif 000002
【特許請求の範囲】
【請求項１】
操作を行なう他の電子機器に向けて第１のコマンドを出力する第１のコマンド出力部と、
前記第１のコマンドを受信し、操作信号を受信した場合に、前記他の電子機器から出力される通知信号を受信する通知信号受信部と、
前記通知信号を出力した前記他の電子機器を、操作を行なう電子機器に登録する電子機器登録部と、
前記登録された他の電子機器に向けて第２のコマンドを出力する第２のコマンド出力部を備える電子機器。
【請求項２】
前記第１のコマンドは、前記他の電子機器の選択に用いられる請求項１に記載の電子機器。
【請求項３】
前記第２のコマンドは、前記他の電子機器の操作に用いられる請求項１または２のいずれか１つに記載の電子機器。
【請求項４】
前記通知信号は、予め決められた時間内の受信が検出される請求項１乃至３のいずれか１つに記載の電子機器。
【請求項５】
前記操作信号は、リモコンから出力される請求項１乃至４のいずれか１つに記載の電子機器。
【請求項６】
前記請求項１乃至５のいずれか１つに記載の電子機器から出力される前記第２のコマンドによって操作される電子機器。
【請求項７】
操作を行なう他の電子機器に向けて第１のコマンドを出力するステップと、
前記第１のコマンドを受信し、操作信号を受信した場合に、前記他の電子機器から出力される通知信号を受信するステップと、
前記通知信号を出力した前記他の電子機器を、操作を行なう電子機器に登録するステップと、
前記登録された他の電子機器に向けて第２のコマンドを出力するステップを備える電子機器の制御方法。
【請求項８】
操作を行なう他の電子機器に向けて第１のコマンドを出力する第１のコマンド出力部と、
前記第１のコマンドを受信し、操作信号を受信した場合に、前記他の電子機器から出力される通知信号を受信する通知信号受信部と、
前記通知信号を出力した前記他の電子機器を、操作を行なう電子機器に登録する電子機器登録部と、
前記登録された他の電子機器に向けて第２のコマンドを出力する第２のコマンド出力部を備える電子機器と、
前記電子機器から出力される第２のコマンドを受信し、操作される他の電子機器と、を備える電子機器の制御システム。
【発明の詳細な説明】
【技術分野】
【０００１】
本発明の実施形態は、電子機器、電子機器の制御方法、電子機器の制御システムに関する。
【背景技術】
【０００２】
近年、複数の電子機器がネットワーク接続可能になり、ネットワーク接続された他の電子機器を操作可能な、モバイル電子機器等の電子機器が普及している。
【０００３】
しかし、これらの電子機器においては、上記電子機器から上記複数の電子機器のどの機器を操作するかが判りにくいことが問題になっていた。
【０００４】
このため、電子機器からネットワーク接続された複数の電子機器のどの機器を操作するかを判りやすくすることが課題になっていた。
【先行技術文献】
【特許文献】
【０００５】
【特許文献１】特開２０１２−３４３８７号公報
【発明の概要】
【発明が解決しようとする課題】
【０００６】
電子機器からネットワーク接続された複数の電子機器のどの機器を操作するかを判りやすくすることが課題になっていた。
【課題を解決するための手段】
【０００７】
実施形態の電子機器は、操作を行なう他の電子機器に向けて第１のコマンドを出力する第１のコマンド出力部を備える。
【０００８】
また、前記第１のコマンドを受信し、操作信号を受信した場合に、前記他の電子機器から出力される通知信号を受信する通知信号受信部を備える。
【０００９】
また、前記通知信号を出力した前記他の電子機器を、操作を行なう電子機器に登録する電子機器登録部を備える。
【００１０】
また、前記登録された他の電子機器に向けて第２のコマンドを出力する第２のコマンド出力部を備える。
【図面の簡単な説明】
【００１１】
【図１】実施形態に係わる電子機器からネットワーク接続された複数の電子機器を操作するようすを示す図。
【図２】実施形態に係わる電子機器とこの電子機器に操作される電子機器の動作を説明するフローチャート。
【図３】実施形態に係わる電子機器の表示部に表示出力される機器選択画面を示す図。
【図４】実施形態に係わる電子機器の表示部に表示出力される機器登録画面を示す図。
【図５】実施形態に係わる電子機器の表示部に表示出力される機器操作画面を示す図。
【図６】実施形態に係わる電子機器とこの電子機器に操作される電子機器の動作を説明する図。
【発明を実施するための形態】
【００１２】
以下、図面を参照し、実施の形態を説明する。
【００１３】
図１は、実施形態に係わる電子機器からネットワーク接続された複数の電子機器を操作するようすを示す図である。
【００１４】
図１に示すように、例えば、モバイル電子機器（スマートフォン）１０は、複数の他の電子機器、すなわち、電子機器（テレビ１）１１、電子機器（レコーダ１）１２、電子機器（テレビ２）１３と、ホームネットワーク１００等でネットワーク接続されている。
【００１５】
このホームネットワーク１００は、有線でも良いし、無線でも良い。
【００１６】
ここでは、モバイル電子機器（スマートフォン）１０は、ユーザが表示画面に直接タッチして機器を操作する接触型の操作が行なわれるが、モバイル電子機器（スマートフォン）１０を、リモコン（リモートコントローラ）等で遠隔操作するようにしても良い。
【００１７】
また、モバイル電子機器（スマートフォン）１０は、必ずしもモバイル型でなくとも良い。
【００１８】
また、ここでは、電子機器（テレビ１）１１にはリモコン１１１が、電子機器（レコーダ１）１２にはリモコン１２１が、電子機器（テレビ２）１３にはリモコン１３１が、構成され、それぞれのリモコンによって制御可能になっている。
【００１９】
そして、この実施形態においては、モバイル電子機器（スマートフォン）１０は、操作を行なう他の電子機器（例えば、ネットワークを構成する電子機器（テレビ１）１１、電子機器（レコーダ１）１２、電子機器（テレビ２）１３）に向けて第１のコマンド（機器選択コマンド）を出力する第１のコマンド出力部を備えている。
【００２０】
この第１のコマンドは、後述するように、上記他の電子機器（例えば、ネットワークを構成する電子機器（テレビ１）１１、電子機器（レコーダ１）１２、電子機器（テレビ２）１３）の選択に用いられる。
【００２１】
また、モバイル電子機器（スマートフォン）１０は、上記他の電子機器（例えば、ネットワークを構成する電子機器（テレビ１）１１、電子機器（レコーダ１）１２、電子機器（テレビ２）１３）が上記第１のコマンド（機器選択コマンド）を受信し、操作信号を受信した場合に、上記他の電子機器（例えば、ネットワークを構成する電子機器（テレビ１）１１、電子機器（レコーダ１）１２、電子機器（テレビ２）１３）から出力される通知信号を受信する通知信号受信部を備えている。
【００２２】
この通知信号は、上記のように、他の電子機器（例えば、ネットワークを構成する電子機器（テレビ１）１１、電子機器（レコーダ１）１２、電子機器（テレビ２）１３）が上記第１のコマンド（機器選択コマンド）を受信し、ユーザによって操作された（すなわち、リモコン等から出力された操作信号を受信した）場合に、この他の電子機器からモバイル電子機器（スマートフォン）１０に向けて出力される。
【００２３】
そして、モバイル電子機器（スマートフォン）１０は、上記通知信号を出力した上記他の電子機器を、操作を行なう電子機器に登録する。この登録は、例えば、モバイル電子機器（スマートフォン）１０に構成されるメモリ（図示せず）にデータが記憶されることにより行なわれる。
【００２４】
そして、モバイル電子機器（スマートフォン）１０は、上記登録された他の電子機器に向けて第２のコマンドを出力し、上記登録された他の電子機器を操作することが可能になる。
【００２５】
図２は、実施形態に係わる電子機器とこの電子機器に操作される電子機器の動作を説明するフローチャートである。
【００２６】
図２に示すように、ここでは、電子機器（モバイル電子機器（スマートフォン）１０）と、この電子機器（モバイル電子機器（スマートフォン）１０）に操作される電子機器（電子機器（テレビ１）１１）を例にとり、動作を説明する。
【００２７】
図２の左側は、主に、電子機器（モバイル電子機器（スマートフォン）１０）の動作を示している。また、図２の右側は、主に、電子機器（モバイル電子機器（スマートフォン）１０）に操作される電子機器（電子機器（テレビ１）１１）の動作を示している。
【００２８】
ここでは、まず、主に、電子機器（モバイル電子機器（スマートフォン）１０）の動作を説明する。
【００２９】
ステップＳ１００は、開始ステップである。続いて、ステップＳ１０１に進む。
【００３０】
ステップＳ１０１は、図３に示すように、例えば、電子機器（モバイル電子機器（スマートフォン）１０）に「機器選択画面」３０を表示するステップである。
【００３１】
この機器選択画面については、後述するが、既に、電子機器（モバイル電子機器（スマートフォン）１０）に、電子機器（モバイル電子機器（スマートフォン）１０）から操作を行なう他の電子機器が登録されている場合は、例えば、これらの「機器選択画面」３０の表示から操作を行なう他の電子機器が選択され、制御される。
【００３２】
また、電子機器（モバイル電子機器（スマートフォン）１０）に、ユーザが、電子機器（モバイル電子機器（スマートフォン）１０）から操作を行ないたい他の電子機器が登録されていない場合は、例えば、「機器選択画面」３０に表示されている「機器判定」が選択され、図４で説明するように、操作を行ないたい他の電子機器を登録することが可能になる。
【００３３】
そして、操作を行ないたい他の電子機器が登録されると、例えば、上記と同様に、電子機器（モバイル電子機器（スマートフォン）１０）の「機器選択画面」３０の表示から操作を行なう他の電子機器が選択され、電子機器（モバイル電子機器（スマートフォン）１０）によって制御される。続いて、ステップＳ１０２に進む。
【００３４】
ステップＳ１０２は、例えば、上記登録済の機器（例えば、図３に示す、「レコーダ１」３１、「テレビ１」３２、「テレビ２」３３等）がユーザによって選択されたかを検出するステップである。例えば、ユーザ操作は、タッチセンサーやリモコン等で行なわれる（図示せず）。
【００３５】
そして、登録済の機器が、選択されたと検出される場合は、ステップＳ１０７に進む（Ｙｅｓ）。登録済の機器が、選択されないと検出される場合は、ステップＳ１０３に進む（Ｎｏ）。
【００３６】
ステップＳ１０３は、例えば、図３に示すように、ユーザによって、電子機器（モバイル電子機器（スマートフォン）１０）に表示される「機器判定」３４が指定される。続いて、ステップＳ１０４に進む。
【００３７】
ステップＳ１０４は、電子機器（モバイル電子機器（スマートフォン）１０）からネットワーク接続された全機器（あるいは、登録を行ないたい他の電子機器）に向けて、機器を選択するコマンドである第１のコマンド（機器選択コマンド）を送信するステップである。
【００３８】
ここでは、この第１のコマンド（機器選択コマンド）は、電子機器（「テレビ１」１１）で受信される。続いて、ステップＳ１０５に進む。
【００３９】
ステップＳ１０５は、例えば、電子機器（モバイル電子機器（スマートフォン）１０）は、予め設定された一定時間（例えば、１分程度）を計測し、この一定時間内に「テレビ１」１１からの通知信号を受信したかを検出するステップである。
【００４０】
そして、予め設定された一定時間内に「テレビ１」１１からの通知信号を受信したと検出される場合は、ステップＳ１０６に進む（Ｙｅｓ）。また、一定時間内に「テレビ１」１１からの通知信号を受信したと検出されない場合は、ステップＳ１０３に進み、上記処理を繰り返す（Ｎｏ）。
【００４１】
ステップＳ１０６は、電子機器（モバイル電子機器（スマートフォン）１０）の表示部に、例えば、図４に示すように、「機器登録画面」４０を表示するステップである。
【００４２】
ユーザは、この「機器登録画面」４０を用い、電子機器（モバイル電子機器（スマートフォン）１０）から操作を行ないたい他の電子機器を登録する。続いて、ステップＳ１０７に進む。
【００４３】
ステップＳ１０７は、電子機器（モバイル電子機器（スマートフォン）１０）の表示部に、例えば、図５に示すような、「機器操作画面」を表示するステップである。ユーザは、例えば、この「機器操作画面」を用い、上記登録された他の電子機器を操作する。続いて、ステップＳ１０８に進む。
【００４４】
ステップＳ１０８は、電子機器（モバイル電子機器（スマートフォン）１０）から他の電子機器（テレビ１）１１に、他の電子機器（テレビ１）１１を操作するコマンドである第２のコマンド（操作コマンド）を送信するステップである。このとき、電子機器（モバイル電子機器（スマートフォン）１０）から電子機器（テレビ１）１１に向けて、第２のコマンド（操作コマンド）が出力される。続いて、ステップＳ１０９に進む。
【００４５】
ステップＳ１０９は、電子機器（モバイル電子機器（スマートフォン）１０）の機器操作が終了したかを検出するステップである。機器操作が終了したと検出される場合は、ステップＳ１１０に進む（Ｙｅｓ）。機器操作が終了しないと検出される場合は、ステップＳ１０７に進み、上記処理を繰り返す（Ｎｏ）。
【００４６】
つぎに、主に、電子機器（モバイル電子機器（スマートフォン）１０）に操作される電子機器（電子機器（テレビ１）１１）の動作を説明する。
【００４７】
ステップＳ２００は、電子機器（電子機器（テレビ１）１１）の動作の開始ステップである。続いて、ステップＳ２０１に進む。
【００４８】
ステップＳ２０１は、コマンドを待ち受けるステップである。ここで、電子機器（電子機器（テレビ１）１１）が待ち受けるコマンドは、ここでは、電子機器（モバイル電子機器（スマートフォン）１０）から出力される第１のコマンド（機器選択コマンド）および第２のコマンド（操作コマンド）、また、電子機器（電子機器（テレビ１）１１）を操作可能なリモコン１１１から出力されるリモコンコマンド等である。続いて、ステップＳ２０２に進む。
【００４９】
ステップＳ２０２は、コマンド（第１のコマンド（機器選択コマンド）、第２のコマンド（操作コマンド）、リモコンコマンド等）を受信するステップである。
【００５０】
続いて、ステップＳ２０３に進む。
【００５１】
ステップＳ２０３は、受信したコマンドの内容を検出するステップである。
【００５２】
ここで、受信コマンドが第２のコマンド（操作コマンド）である場合は、ステップＳ２０７に進む。
【００５３】
また、受信コマンドがリモコン１１１から出力されたリモコンコマンドである場合は、ステップＳ２０４に進む。
【００５４】
また、受信コマンドが第１のコマンド（機器選択コマンド）である場合は、ステップＳ２０６に進む。
【００５５】
ステップＳ２０４は、電子機器（電子機器（テレビ１）１１）が、外部からの操作を受け付けるかを示すフラグ（外部操作フラグ）がＯＮであるかを検出するステップである。ここで、外部操作フラグがＯＮであると検出される場合は、ステップＳ２０５に進む（Ｙｅｓ）。外部操作フラグがＯＮではないと検出される場合は、ステップＳ２０７に進む（Ｎｏ）。
【００５６】
ステップＳ２０５は、電子機器（電子機器（テレビ１）１１）から電子機器（モバイル電子機器（スマートフォン）１０）に向けて、通知信号送信を出力するステップである。
【００５７】
すなわち、この実施形態においては、この通知信号は、上記のように、他の電子機器（例えば、ネットワークを構成する電子機器（テレビ１）１１、電子機器（レコーダ１）１２、電子機器（テレビ２）１３）が上記第１のコマンド（機器選択コマンド）を受信し、ユーザによって操作された（すなわち、リモコン等から出力された操作信号を受信した）場合に、この他の電子機器から電子機器（モバイル電子機器（スマートフォン）１０）に向けて出力される。ステップＳ２０７に進む。
【００５８】
ステップＳ２０６は、外部操作フラグを予め設定された一定時間（例えば、５分程度）ＯＮにするステップである。続いて、ステップＳ２０１に進み、上記処理を繰り返す。
【００５９】
ステップＳ２０７は、機器操作処理を行うステップである。続いて、ステップＳ２０１に進み、上記処理を繰り返す。
【００６０】
図３は、実施形態に係わる電子機器の表示部に表示出力される機器選択画面を示す図である。
【００６１】
図３に示すように、電子機器（モバイル電子機器（スマートフォン）１０）の「機器選択画面」３０には、電子機器（モバイル電子機器（スマートフォン）１０）で操作を行なうことが可能な電子機器である「レコーダ１（機種名ＤＢＲ）」３１、「テレビ１（機種名Ｚ３）」３２、「テレビ２（機種名Ｚ３）」３３等が表示される。
【００６２】
ユーザは、ここで表示された電子機器（「レコーダ１（機種名ＤＢＲ）」３１、「テレビ１（機種名Ｚ３）」３２、「テレビ２（機種名Ｚ３）」３３等）を、電子機器（モバイル電子機器（スマートフォン）１０）から操作することが可能である。
【００６３】
また、ユーザが、電子機器（モバイル電子機器（スマートフォン）１０）から操作を行ないたい他の電子機器が登録されていない場合は、ユーザは、例えば、「機器選択画面」３０に表示されている「機器判定」３４を選択し、図４で説明するように、操作を行ないたい他の電子機器を登録することが可能になる。
【００６４】
図４は、実施形態に係わる電子機器の表示部に表示出力される機器登録画面を示す図である。
【００６５】
この「機器登録画面」４０は、電子機器（モバイル電子機器（スマートフォン）１０）の表示部に表示出力される。
【００６６】
この「機器登録画面」４０には、例えば、「登録名：居間１」４１、「機種名：テレビ１」４２、「設置場所：居間１」４３の情報を入力することが可能である。
【００６７】
これにより、ネットワークで接続された複数の電子機器に、例えば、「テレビ１（機種名Ｚ３）」や「テレビ２（機種名Ｚ３）」というように、同じ機種が接続されていても、ユーザは、両者を区別することが可能になる。
【００６８】
図５は、実施形態に係わる電子機器の表示部に表示出力される機器操作画面を示す図である。
【００６９】
この「機器操作画面」は、電子機器（モバイル電子機器（スマートフォン）１０）の表示部に表示出力される。
【００７０】
ユーザは、例えば、この「機器操作画面」を用い、上記登録された他の電子機器を操作する。
【００７１】
ここでは、電子機器（モバイル電子機器（スマートフォン）１０）が操作を行なうことが可能な操作機器として、「テレビ１」５４が表示されている。
【００７２】
そして、この「操作機器：テレビ１」５４の操作は、例えば、この「機器操作画面」に表示されたアイコン（例えば、「音量」５１、「音質」５２、「番組表」５３等）を、ユーザが操作することによって、行なわれる。
【００７３】
図６は、実施形態に係わる電子機器とこの電子機器に操作される電子機器の登録動作を説明する図である。
【００７４】
ここでは、図６に示すように、電子機器（モバイル電子機器（スマートフォン）１０）からこの電子機器に操作される電子機器（テレビ１）１１に向けて、第１のコマンド（機器選択コマンド）が送信される（６１）。なお、電子機器（モバイル電子機器（スマートフォン）１０）から全機器に向けて、第１のコマンド（機器選択コマンド）が送信されるようにしても良い。
【００７５】
続いて、電子機器（テレビ１）１１は、リモコンコマンドを受信し、リモコン１１１操作を受ける（６２）。
【００７６】
続いて、電子機器（テレビ１）１１から電子機器（モバイル電子機器（スマートフォン）１０）に通知信号が送信される（６３）。
【００７７】
電子機器（モバイル電子機器（スマートフォン）１０）は、通知信号を受信し、電子機器（テレビ１）１１を操作可能な機器に登録する（６４）。
【００７８】
その後、電子機器（モバイル電子機器（スマートフォン）１０）から電子機器（テレビ１）１１に向けて、第２のコマンド（機器操作コマンド）を送信し、電子機器（テレビ１）１１を操作する（６５）。
【００７９】
この実施形態においては、例えば、初めに、電子機器（モバイル電子機器（スマートフォン）１０）からネットワーク内の他の電子機器へのリモート操作を行う場合、電子機器（モバイル電子機器（スマートフォン）１０）に登録済の電子機器（情報機器）リストとネットワーク内の電子機器（情報機器）の判定を選択する画面(図３)が表示される。
【００８０】
ここで、登録済の電子機器（情報機器）が選択された場合は、電子機器（情報機器）への操作画面に遷移する。また、電子機器（情報機器）の判定が選択された場合は、ネットワーク内の全ての電子機器（情報機器）に対して選択コマンドが発行される。
【００８１】
電子機器（情報機器）は選択コマンドを受信すると、リモコン等の外部操作の待ち受けを開始する。
【００８２】
電子機器（情報機器）は選択コマンドの受信から一定時間内に外部操作が入力されると、モバイル機器に通知信号を発信する。
【００８３】
ここで、例えば、リモコンから、ＯＳＤ（オンスクリーンディスプレイ）のＯＮ／ＯＦＦのような影響の少ない外部操作を行うことで、電子機器（情報機器）の特定の動作を阻害することなく、電子機器（情報機器）の識別が可能となる。
【００８４】
次に、通知信号を受信したモバイル機器は、応答が有った電子機器（情報機器）から機種などの情報を取得し、電子機器（情報機器）の登録画面（図４）を表示させる。
【００８５】
これにより、ユーザが同じ機種の電子機器（情報機器）に対しても区別可能な名称を登録できる。登録が完了すると電子機器（情報機器）の操作画面に遷移する。
【００８６】
また、電子機器（情報機器）への操作画面では、ユーザ操作のコマンドが対象の電子機器（情報機器）に送信され、電子機器（情報機器）側で実際の操作処理が実施される。
【００８７】
すなわち、この実施形態においては、電子機器は、操作を行なう他の電子機器に向けて第１のコマンドを出力する第１のコマンド出力部を備える（図示せず）。
【００８８】
また、上記第１のコマンドを受信し、操作信号を受信した場合に、上記他の電子機器から出力される通知信号を受信する通知信号受信部を備える。
【００８９】
また、上記通知信号を出力した上記他の電子機器を、操作を行なう電子機器に登録する電子機器登録部を備える。
【００９０】
また、上記登録された他の電子機器に向けて第２のコマンドを出力する第２のコマンド出力部を備える。
【００９１】
また、上記第１のコマンドは、上記他の電子機器の選択に用いられる。
【００９２】
また、上記第２のコマンドは、上記他の電子機器の操作に用いられる。
【００９３】
また、上記通知信号は、予め決められた時間内の受信が検出される。
【００９４】
また、上記操作信号は、リモコンから出力される。
【００９５】
上記のように構成することによって、この実施形態においては、電子機器からネットワーク接続された複数の電子機器のどの機器を操作するかを判りやすくすることが可能になる。
【００９６】
また、上記に加え、電子機器（モバイル機器）側での外部操作として、電子機器本体に取り付けてあるボタンを利用することで、ユーザが特定の他の電子機器（情報機器）に対して容易に識別することも可能である。
【００９７】
また、電子機器（情報機器）が選択コマンドを受信した際に応答を行い、この応答を確認してから電子機器（モバイル機器）が通知信号の受信待ちを開始することで、通信不備や電子機器（情報機器）の異常による余分な待ち時間が発生することを防止することも可能である。
【００９８】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【００９９】
なお、上記実施形態は、記述そのものに限定されるものではなく、実施段階では、その趣旨を逸脱しない範囲で、構成要素を種々変形して具体化することが可能である。
【０１００】
また、上記実施形態に開示されている複数の構成要素の適宜な組み合せにより種々の発明を形成できる。
【０１０１】
例えば、実施形態に示される全構成要素から幾つかの構成要素を削除してもよい。更に、異なる実施形態に亘る構成要素を適宜組み合せてもよい。
【符号の説明】
【０１０２】
１０…モバイル電子機器（スマートフォン）、１１…電子機器（テレビ１）、１２…電子機器（レコーダ１）、１３…電子機器（テレビ２）、１１１…リモコン。
【図１】
2014068267.tif 000003
【図２】
2014068267.tif 000004
【図３】
2014068267.tif 000005
【図４】
2014068267.tif 000006
【図５】
2014068267.tif 000007
【図６】
2014068267.tif 000008